(57)【特許請求の範囲】
【請求項１】
ミシン本体に上下方向に摺動可能に支持されて先端部に針孔を有する針が装着された針棒と、
該針棒に並列にミシン本体に移動可能に支持された糸通し軸部材と、該糸通し軸部材下端に設けた前記針孔に糸を導く案内部材と、該案内部材の始端側から終端側に向かう方向で、且つ下向きに傾斜する方向に空気を供給する空気供給部材とを備え、
前記案内部材は前記空気供給部材から供給された空気を前記針孔に導くように前記針孔に向けて通路幅が徐々に狭くなる上面が開放された案内通路部と該案内通路部に連続して形成された前記針孔の位置を決める針収納部を備え、
前記案内部材の案内通路部は、平坦面状で且つ始端側から終端側に向かって下向きに傾斜する案内底面と、該案内底面の幅方向両側で且つ始端側で間隔が最大となり終端側で間隔が最少となり、前記案内底面が平面から見て三角形状となるように形成された案内側壁とからなり、
糸通し後の前記針孔に通した糸と針を前記案内部材の開放された上面を介して離脱するようにしたことを特徴とするミシンの糸通し装置。
【請求項２】
前記案内通路部には直線状の狭小溝部が形成され、該狭小溝部に連続して形成される前記針収納部が備えられてなることを特徴とする請求項１に記載のミシンの糸通し装置。
【請求項３】
前記針収納部に配置された前記針の針孔に対向する前記案内通路部の開口部は、前記針孔の幅と同等または、それ以下としてなることを特徴とする請求項１に記載のミシンの糸通し装置。
【請求項４】
前記針収納部に配置された前記針の針孔に対向する前記案内通路部の狭小溝部の溝幅は前記針孔の幅と同等または、それ以下としてなることを特徴とする請求項２に記載のミシンの糸通し装置。
【請求項５】
前記案内通路部の開口部の底の位置と前記針収納部に配置された前記針の前記針孔の下端が一致するようにしてなることを特徴とする請求項１，２，３又は４の何れか１項に記載のミシンの糸通し装置。
【発明の詳細な説明】
【技術分野】
【０００１】
本発明は、ミシンにおいて、糸を針の針孔に挿通する作業を補助する機材であって、極めて簡単な構造としたミシンの糸通し装置に関する。
【背景技術】
【０００２】
従来、ミシンの針棒に装着された針の針孔に糸を通すために、種々の糸通し装置が提案されている。例えば、特許文献１に示す糸通し装置は、先端に糸を捕捉するフック部が形成された糸通しフックを有する。この糸通しフックは、糸保持具により針の針孔近傍に緊張された状態で張られている糸を捕捉し、針孔から引き出されることにより糸通し動作を行う。
【０００３】
糸通し装置において、針孔から引き出された糸通しフックは、より確実に糸を針孔から引き抜くために、針孔の上方向に移動される。この上方向の移動において、フックの鈎部から糸が外れて、糸通し動作が完了される。この種の機構を有するミシンの一例として下記特許文献１が存在する。
【先行技術文献】
【特許文献】
【０００４】
【特許文献１】特開平７−２８４５８８号公報
【発明の概要】
【発明が解決しようとする課題】
【０００５】
特許文献１における糸通し装置の基本的機構は、一般的に流布しており、多く利用されている。しかし、特許文献１等に見られる機構には、以下に述べる欠点が存在する。まず、針孔を通過したフックは、糸を引掛けてから、前記針孔から抜け出して、元の位置に戻る動作を行うが、このときにフックによって引掛けられた糸は二つ折り状態となる。
【０００６】
そのため、フックの戻り動作のときには、針孔の中を、折曲状態により実質的に２本となった糸と、これを引掛けているフックとが略同時に通過することとなる。そのために、針孔の小さな針、すなわち番手の小さな針では使用し難くなることがある。
【０００７】
また、糸の太さに最適な針孔を有する針すなわち糸の太さに最適な番手の針を使用することができず、ひいては、縫い品質に影響を及ぼすことになる。また、このような弊害を軽減させるため、フックは極力薄く形成されているが、そのために、十分な強度が確保できず、フックが破損するおそれがある。
【０００８】
或いは、フックに十分な強度が得られないと曲がり易くなり、フックが針の針孔に入らなくなる障害がおこる原因となる。このように、特許文献１のようにフックを使用するタイプでは、どうしても、強度上の点から、特有の欠点を改善することが困難である。そこで、本発明の目的は、ミシンの糸を針の針孔に挿通させるための機構を、極めて簡単な構成としたミシンの糸通し装置を提供することにある。
【課題を解決するための手段】
【０００９】
そこで、発明者は、上記課題を解決すべく、鋭意，研究を重ねた結果、請求項１の発明を、ミシン本体に上下方向に摺動可能に支持されて先端部に針孔を有する針が装着された針棒と、該針棒に並列にミシン本体に移動可能に支持された糸通し軸部材と、該糸通し軸部材下端に設けた前記針孔に糸を導く案内部材と、該案内部材の始端側から終端側に向かう方向で、且つ下向きに傾斜する方向に空気を供給する空気供給部材とを備え、前記案内部材は前記空気供給部材から供給された空気を前記針孔に導くように前記針孔に向けて通路幅が徐々に狭くなる上面が開放された案内通路部と該案内通路部に連続して形成された前記針孔の位置を決める針収納部を備え、前記案内部材の案内通路部は、平坦面状で且つ始端側から終端側に向かって下向きに傾斜する案内底面と、該案内底面の幅方向両側で且つ始端側で間隔が最大となり終端側で間隔が最少となり、前記案内底面が平面から見て三角形状となるように形成された案内側壁とからなり、糸通し後の前記針孔に通した糸と針を前記案内部材の開放された上面を介して離脱するようにしたミシンの糸通し装置としたことにより、上記課題を解決した。
【００１０】
請求項２の発明を、前記案内通路部には直線状の狭小溝部が形成され、該狭小溝部に連続して形成される前記針収納部が備えられてなる請求項１に記載のミシンの糸通し装置としたことにより、上記課題を解決した。請求項３の発明を、前記針収納部に配置された前記針の前記針孔に対向する前記案内通路部の開口部は、針の幅と同等または、それ以下としてなる請求項１に記載のミシンの糸通し装置としたことにより、上記課題を解決した。
【００１１】
請求項４の発明を、前記針収納部に配置された前記針の前記針孔に対向する前記案内通路部の狭小溝部の溝幅は前記針孔の幅と同等または、それ以下としてなる請求項２に記載のミシンの糸通し装置としたことにより、上記課題を解決した。請求項５の発明を、前記案内通路部の開口部の底の位置と前記針収納部に配置された前記針の前記針孔の下端が一致するようにしてなることを特徴とする請求項１，２，３又は４の何れか１項に記載のミシンの糸通し装置としたことにより、上記課題を解決した。
【発明の効果】
【００１２】
請求項１の発明では、案内部材は空気供給部材から供給された空気を針孔に導くように該針孔に向けて通路幅が徐々に狭くなる上面が開放された案内通路部と該案内通路部に連続して形成された前記針孔の位置を決める針収納部を備え、糸通し後の前記針孔に通した糸と針を前記案内部材の開放された上面を介して離脱するように構成したものである。
【００１３】
これによって、案内部材の終端側を針に接触又は近接させ、前記案内通路部の始端側から終端側に向かってミシン糸を送り込むごとにより、該ミシン糸の先端は、針の針孔を容易に通過し易い構成となる。さらに、空気供給部材の噴射ノズルからの噴射空気をミシン糸の先端に当てることによって、ミシン糸は噴射空気の圧力によって針孔に容易に通すことができる。
【００１４】
請求項２の発明では、案内部材の案内通路部に直線状の狭小溝部が形成され、該狭小溝部に連続して形成される前記針収納部が備えられた構成としたことにより、案内通路部，狭小溝部及び針収納部への糸道が構成される。これによって、ミシン糸は針の針孔に略確実に挿通させることができる。
【００１５】
請求項３の発明では、針収納部に配置された針の針孔に対向する案内部材の案内通路部の開口部は、前記針孔の幅と同等または、それ以下としたことにより、ミシン糸は針の針孔に挿通し易くすることができる。また、請求項４の発明では、前記針収納部に配置された前記針の針孔に対向する前記案内部材の案内通路部の狭小溝部の溝幅は針の幅と同等または、それ以下としたことにより、ミシン糸は針の針孔に挿通し易くすることができる。請求項５の発明では、前記案内部材の案内通路部の開口部の底の位置と前記針収納部に配置された前記針の前記針孔の下端が一致するとしたことにより、ミシン糸は針の針孔に挿通し易くすることができる。
【図面の簡単な説明】
【００１６】
【図１】（Ａ）は本発明における第１実施形態を示す斜視図、（Ｂ）は本発明における第１実施形態の縦断側面図、（Ｃ）は案内部材の一部切除した斜視図、（Ｄ）の（Ｃ）のＹ1−Ｙ1矢視断面図である。
【図２】（Ａ）は案内部材の一部切除した平面図、（Ｂ）は（Ａ）のＹ2−Ｙ2矢視断面図、（Ｃ）は（Ａ）のＹ3−Ｙ3矢視断面図、（Ｄ）は（Ａ）のＹ4−Ｙ4矢視断面断面図、（Ｅ）は（Ａ）の（α）部拡大図、（Ｆ）は（Ａ）の（α）部縦断側面拡大図である。
【図３】（Ａ）は案内部材の案内通路部にミシン糸の先端を設置した糸通し作業の行程の縦断側面図、（Ｂ）は案内部材の案内通路部にミシン糸の先端を設置した糸通し作業の行程の平面図である。
【図４】（Ａ）は案内部材の案内通路部に設置したミシン糸の先端に空気噴射ノズルから空気を噴射し始めた行程の縦断側面図、（Ｂ）は案内部材の案内通路部に設置したミシン糸の先端に空気噴射ノズルから空気を噴射し始めた行程の平面図、（Ｃ）は（Ｂ）の（β）部拡大図である。
【図５】（Ａ）は案内部材の案内通路部に設置したミシン糸の先端が空気噴射ノズルにより針孔を通過した行程の縦断側面図、（Ｂ）は案内部材の案内通路部に設置したミシン糸の先端が空気噴射ノズルにより針孔を通過した行程の平面図、（Ｃ）は（Ｂ）の（γ）部拡大図である。
【図６】糸通し作業が完了し案内部材が針から離間した状態の縦断側面図である。
【図７】（Ａ）は狭小溝部が形成されない案内部材の平面図、（Ｂ）は（Ａ）の（ε）部拡大図である。
【図８】本発明における案内部材及び空気噴射ノズルが針に近接，退避を行う状態の横断平面図である。
【発明を実施するための形態】
【００１７】
以下、本発明の実施形態を図面に基づいて説明する。本発明の装置は、図１に示すように、主に案内部材Ａと、空気供給部材Ｂを備えたものである。これらがミシンの針棒６と該針棒６に装着された針７と共にミシン本体に具備される。前記案内部材Ａは、案内本体部１には、案内通路部２及び針収納部３が備わっている。案内部材Ａは、金属又は合成樹脂等にて形成される。
【００１８】
案内本体部１は、案内部材Ａの外形を構成するものであり、案内通路部２は案内本体部１に対して略扁平の溝状に形成される〔図１(Ｃ)，（Ｄ），図２等参照〕。案内通路部２は、ミシン糸ｎを針７の針孔７１に通すことができるように送る役目をなす通路である。案内通路部２は、上方が開放された断面凹状とした形状である〔図１（Ｃ），（Ｄ），図２(Ａ)乃至（Ｄ）参照〕。
【００１９】
案内通路部２には、始端側Ａｆと終端側Ａｒとが存在し、ミシン糸ｎを針孔に通すときには、ミシン糸ｎの先端は案内通路部２の始端側Ａｆから終端側Ａｒに向かって移動する。つまり、案内通路部２の始端側Ａｆは、ミシン糸ｎの先端が入る側であり、始端側Ａｆとはミシン糸ｎの先端が針７の針孔７１に送り込まれる側である（図３乃至図５参照）。
【００２０】
案内通路部２は、案内底面２１と案内側壁２２，２２とから構成される。案内通路部２は、始端側Ａｆから終端側Ａｒに向かって下向きに傾斜し、且つ案内通路部２の通路幅は始端側Ａｆから終端側Ａｒに向かって次第に狭くなるように形成される。
【００２１】
具体的には、案内底面２１は、平坦面状で且つ始端側Ａｆから終端側Ａｒに向かって下向きに傾斜する。案内底面２１の幅方向両側には案内側壁２２，２２が形成される。両案内側壁２２，２２は、案内底面２１に対して略垂直状に形成されている〔図１（Ｃ），（Ｄ），図２(Ａ)乃至（Ｄ）等参照〕。
【００２２】
両案内側壁２２，２２は、始端側Ａｆで間隔が最大であり、終端側Ａｒで間隔が最少となる〔図１（Ｃ），（Ｄ），図２(Ａ)乃至（Ｄ）等参照〕。これによって、前記案内底面２１は、平面から見て略三角形状又はＶ字形状となる〔図２（Ａ）参照〕。また、案内通路部２の終端側Ａｒの開口部２３箇所では、狭小溝部２３ａが設けられている。該狭小溝部２３ａは、案内通路部２の一部を構成する部位であり、略溝状或いはスリット形状で且つ幅方向両側の側壁面が平行に形成された通路としたものである〔図１（Ａ），（Ｃ），図２（Ａ），（Ｅ）等参照〕。該狭小溝部２３ａは、後述する針収納部３に連通する。
【００２３】
狭小溝部２３ａは、ミシン糸ｎが一本通過することができる程度の幅を有しており、該ミシン糸ｎが狭小溝部２３ａを通過するときには、該ミシン糸ｎは狭小溝部２３ａに沿って略一直線状に整えられ、そのまま、前記ミシン糸ｎを針孔７１に通し易い状態にすることができる〔図４（Ａ）乃至（Ｃ）参照〕。
【００２４】
前記案内通路部２には、前記狭小溝部２３ａが設けられない実施形態も存在する（図７参照）。この実施形態では、案内通路部２の終端側Ａｒに、両案内側壁２２，２２の間隔が最少となる開口部２３が直接形成されることになる。
【００２５】
案内本体部１及び案内通路部２の終端側Ａｒでは、針収納部３が備わっている〔図１（Ｃ），（Ｄ），図２（Ａ），（Ｅ），（Ｆ）参照〕。該針収納部３は、針棒に装着された針が収納する空隙部分である。針収納部３は、案内本体部１の終端側Ａｒの垂直壁面１１に対して垂直方向に沿って形成された溝状の窪み部分である。また、針収納部３は、案内通路部２の終端側Ａｒ又は狭小溝部２３ａを有する場合には、該狭小溝部２３ａと連通するものである〔図１（Ｃ），（Ｄ），図２（Ａ），（Ｅ），（Ｆ）参照〕。
【００２６】
針７の下端付近は、前記針収納部３に収納される〔図１（Ａ），（Ｂ），図３（Ａ），図４（Ａ），図５（Ａ）等参照〕。針収納部３は、収納底面３１を有しており、上下方向に貫通しない構成である。しかし、必ずしもこのような構成に限定されるものではなく、収納底面３１を有さないものであって、上下に貫通するものでもかまわない。針収納部３における垂直周壁面３２は、前記狭小溝部２３ａの境にしてそれぞれ左右対称の略弧状の壁面となり、針収納部３の垂直方向に直交する全体的な形状は、略半円又は略正方形状である〔図２（Ｅ）参照〕。
【００２７】
そして、案内部材Ａの針収納部３に針が収納された状態で、案内通路部２の終端側Ａｒの開口部２３の幅方向寸法Ｈａと、針７の針孔７１の幅方向寸法Ｈbとの大小関係は、幅方向寸法Ｈａが幅方向寸法Ｈbと同等又はそれ以下とすることが好ましい。
つまり、
0006680462.tif 000002
であることが好ましい〔図２（Ｅ）参照〕。
【００２８】
また、案内通路部２の終端側Ａｒの幅方向寸法Ｈａは、狭小溝部２３ａが形成される場合には、該狭小溝部２３ａの幅方向寸法のことである。案内通路部２の終端側Ａｒの開口部２３の幅方向寸法Ｈａが、針孔７１の幅方向寸法Ｈbと同等又はそれ以下に設定されることで、後述する空気噴射ノズル５から噴射される空気の圧力にてミシン糸ｎの先端は、針孔７１の外側に外れることなく、針孔７１内に導かれ易い構造にすることができる。ただし、本発明においては、必ずしも、案内通路部２の終端側Ａｒの開口部２３の幅方向寸法Ｈａを針孔７１の幅方向寸法Ｈbと同等又はそれ以下に設定される構造にする必要はない。
【００２９】
前記案内本体部１の幅方向の何れか一方の側面には腕状部４が設けられ、該腕状部４は、軸状であり、針棒６に並列配置された糸通し用軸部材８に連結される〔図１（Ａ），図８参照〕。糸通し用軸部材８の軸芯を揺動中心として、腕状部４と共に案内部材Ａが水平面上を揺動し、該案内部材Ａの終端側Ａｒが針７の針孔７１から離間及び近接する（図８参照）。
【００３０】
案内通路部２の終端側Ａｒにおける案内底面２１の位置は、案内部材Ａの針収納部３に針７が収納された状態での針孔７１の上下方向範囲内に収まるように設定される〔図１（Ｂ），図２（Ｆ），図５（Ａ）等参照〕。さらに、好ましくは、案内通路部２の終端側Ａｒの開口部２３箇所の案内底面２１の位置に対して、針孔７１の下端位置が一致（略一致も含む）又は僅かに下方に位置する構成とする。これによって、ミシン糸ｎは、針孔７１の上下方向の範囲内を通過し易くなり、確実にミシン糸ｎを針孔７１に挿通することができる〔図１（Ｂ），図５（Ａ）参照〕。また、案内通路部２に狭小溝部２３ａが設けられた場合には、狭小溝部２３ａの幅方向寸法が針孔７１の幅方向寸法と同一又はそれ以下とする。
【００３１】
空気供給部材Ｂは、具体的には空気噴射ノズル５を備えたものであり、該空気噴射ノズル５は、案内通路部２の始端側Ａｆと終端側Ａｒの中間位置に噴射口５１が位置するようにして配置される〔図１（Ａ），（Ｂ），（Ｄ）参照〕。また空気噴射ノズル５の噴射方向は、始端側Ａｆから終端側Ａｒに向かう方向で、且つ下向きに傾斜する方向である。また、案内通路部２の案内底面２１と、空気噴射ノズル５の噴射方向とのなす角度は、小さい角度であることが好ましく、具体的には４５度以下が好適である〔図１（Ｄ）参照〕。
【００３２】
空気噴射ノズル５は、図示しない空気ポンプ等から、空気が送られ、略瞬間的に噴射口５１から空気は噴射される。空気ポンプの動作は、手動又は電動等により操作される。空気噴射ノズル５と空気ポンプとは、ホース５２を介して連結される。また、空気供給部材Ｂ（空気ノズル５）と案内部材Ａとは、前記腕状部４から分岐する図示しない支持部材等を介して、空気噴射ノズル５の案内部材Ａとの位置関係を維持するように構成される。
【００３３】
案内部材Ａの案内通路部２は、始端側Ａｆから終端側Ａｒに向かう方向に直交する断面形状を略半円又は椀形状に形成されることもある。また、実施形態の変形例として、両案内側壁２２，２２が互いに外方側に向かって、弧状に膨出するように形成されることもある〔図５（Ｂ）参照〕。
【００３４】
さらに、案内部材Ａの第３実施形態として、案内通路部２が始端側Ａｆから終端側Ａｒに向かう方向に直交する断面形状を略半円形状としたものである〔図５（Ｃ）参照〕。この実施形態では、案内通路部２の案内底面２１と両案内側壁２２，２２とは、断面弧形状である。そして案内底面２１と両案内側壁２２，２２とが、断面略半円形状を構成する。
【００３５】
また、案内部材Ａの第４実施形態として、案内通路部２の始端側Ａｆから終端側Ａｒに向かう方向に直交する断面形状を略Ｖ字形状又は逆三角形状としたものである〔図５（Ｄ）参照〕。この実施形態では、案内通路部２の両案内側壁２２，２２は下方で交わるように傾斜形成されたものである。案内底面２１は、両案内側壁２２，２２の下方で交わる角部となる。
【００３６】
案内部材Ａ及び空気噴射ノズル５は、針棒６に併設はされた糸通し軸部材８に装着される。該糸通し軸部材８は、垂直方向に上下動と周方向での回動が行われる。回動角度は小角度であり、好ましくは９０度以下としている。糸通し軸部材８は、常時上方に位置しているが、針７の針孔７１に糸通しを行うときに、糸通し軸部材８を下降させ、この下降と同時に案内部材Ａは、針収納部３が針７に近接するように回動する（図８参照）。
【００３７】
そして、糸通し軸部材８が下降を停止するときには、針収納部３に針７が収納される〔図１（Ａ），（Ｂ）参照〕。ここで、針７の針孔７１は、案内通路部２の終端側Ａｒの開口部２３に面している〔図１（Ａ），（Ｂ），図２（Ｅ），（Ｆ）参照〕。或いは、狭小溝部２３ａが形成されたものでは、該狭小溝部２３ａに針７の針孔７１が面することになる。この状態で、案内通路部２にミシン糸ｎの先端部分が配置される〔図３(Ａ)，（Ｂ）参照〕。
【００３８】
そして、空気噴射ノズル５の噴射口５１から、空気が噴射され、噴射された空気の圧力は、ミシン糸ｎの先端にかかる。ここで、空気噴射ノズル５の噴射口５１から噴射された空気は、案内通路部２の案内底面２１と両案内側壁２２，２２に当たる〔図４（Ｂ），図５（Ｂ）等参照〕。そのため、噴射口５１から噴射空気が拡散しても、両案内側壁２２，２２に当たりながら、拡散した空気が収束しつつ送られ、案内通路部２の終端側Ａｒの開口部２３に噴射した空気が集中することになる〔図４（Ｂ），（Ｃ），図５（Ｂ），（Ｃ），参照〕。
【００３９】
これによって、ミシン糸ｎの先端は、そのまま、噴射空気の圧力を受けて始端側Ａｆから終端側Ａｒに向かって送り出され、狭小溝部２３ａを通過して、針７の針孔７１にミシン糸ｎを通すことができる。特に、狭小溝部２３ａでは、ミシン糸ｎの先端が略直線状に整えられ、針７の針孔７１への通しがより一層確実に行われることになる。
【００４０】
前記針７の針孔７１へのミシン糸ｎの糸通し操作が完了したら、案内部材Ａ及び空気噴射ノズル５は、針７から離脱して縫い操作に影響しない位置に退避する。この退避動作の過程で、針７とミシン糸ｎは案内部材Ａの上面の開放部分を介して離脱して、糸通し動作を完了する（図６参照）。
【符号の説明】
【００４１】
Ａ…案内部材、２…案内通路部、２３…開口部、２３ａ…狭小溝部、３…針収納部、
Ｂ…空気供給部材、５…空気噴射ノズル、６…針棒、７１…針孔、７…針、
８…糸通し軸部材。
【図１】
0006680462.tif 000003
【図２】
0006680462.tif 000004
【図３】
0006680462.tif 000005
【図４】
0006680462.tif 000006
【図５】
0006680462.tif 000007
【図６】
0006680462.tif 000008
【図７】
0006680462.tif 000009
【図８】
0006680462.tif 000010